(57)【特許請求の範囲】
【請求項１】
杖本体の下端部にゴムからなる滑止体を設けてなり、上記滑止体は降雪時期に適する冬用滑止体と降雪時期以外に適する夏用滑止体とに交換使用可能に設けられ、上記夏用滑止体の接地面部分の外径は冬用滑止体の接地面部分の外径より小さく形成され、該接地面部分に複数個の四角状の滑止凸部が形成され、かつ、上記冬用滑止体の接地面部分の外径は夏用滑止体の接地面部分の外径より大きく形成され、該接地面部分に複数個の半球状の滑止球凸部が形成されていることを特徴とする杖。
【発明の詳細な説明】
【０００１】
【発明の属する技術分野】
本発明は例えば老人や障害者に用いられる杖に関するものである。
【０００２】
【従来の技術】
従来この種の杖として、杖本体の下端部に滑止体を設けてなる構造のものが知られている。
【０００３】
【発明が解決しようとする課題】
しかしながら上記従来構造の場合、滑止体は通年使用可能に形成され、杖本体に固着されているため、降雪地域においては、滑止作用が不充分となることがあり、折角の滑止機能が期待できずに安全性を低下させることがあるという不都合を有している。
【０００４】
【課題を解決するための手段】
本発明はこれらの課題を解決することを目的とするもので、本発明のうちで、請求項１記載の発明は、杖本体の下端部にゴムからなる滑止体を設けてなり、上記滑止体は降雪時期に適する冬用滑止体と降雪時期以外に適する夏用滑止体とに交換使用可能に設けられ、上記夏用滑止体の接地面部分の外径は冬用滑止体の接地面部分の外径より小さく形成され、該接地面部分に複数個の四角状の滑止凸部が形成され、かつ、上記冬用滑止体の接地面部分の外径は夏用滑止体の接地面部分の外径より大きく形成され、該接地面部分に複数個の半球状の滑止球凸部が形成されていることを特徴とする杖にある。
【０００５】
【発明の実施の形態】
図１乃至図５は本発明の実施の形態例を示し、１は杖本体であって、この場合、木製丸棒材が用いられ、上部に握持部１ａが形成され、下部に接続部１ｂが形成されている。尚、杖本体１の材質は木製に限らず、合成樹脂やアルミニウム管等の金属材も用いられる。
【０００６】
２は滑止体であって、ゴム製にして、図１乃至図３に示す如く、降雪時期に適する冬用滑止体３と、図４、図５に示す如く、降雪時期以外に適する夏用滑止体４とからなり、杖本体１に対して交換使用可能に設けられている。
【０００７】
この場合、冬用滑止体３及び夏用滑止体４に杖本体１の下端部である接続部１ｂが圧挿入可能な挿入穴３ａ・４ａを形成し、接続部１ｂと挿入穴３ａ・４ａとの圧挿入により冬用滑止体３と夏用滑止体４とを選択的に交換使用可能に設けて構成している。
【０００８】
又、この場合、上記夏用滑止体４の接地面部分４ｂの外径ｄは冬用滑止体３の接地面部分３ｂの外径Ｄより小さく形成され、この接地面部分４ｂに複数個の四角状の滑止凸部４ｃを形成してなり、又、上記冬用滑止体３の接地面部分３ｂの外径Ｄは夏用滑止体４の接地面部分４ｂの外径ｄより大きく形成され、接地面部分３ｂに複数個の半球状の滑止球凸部３ｃを形成している。
【０００９】
この実施の形態例は上記構成であるから、杖本体１の下端部に設けられるゴムからなる滑止体２として冬用滑止体３及び降雪時期以外に適する夏用滑止体４を形成し、この冬用滑止体３と夏用滑止体４とに交換使用可能に設けられているから、降雪時期の冬場においては、夏用滑止体４を強い力で抜き外し、杖本体１に降雪時期に適した冬用滑止体４を圧挿入して装着することにより、降雪路面や凍結路面における滑り止め作用を良好に発揮することができ、それだけ使用の安全性を高めることができ、かつ、降雪時期以外の夏や春、秋においては、冬用滑止体４３強い力で抜き外し、杖本体１に降雪時期以外に適する夏用滑止体３を装着することにより乾路面、雨水路面における滑り止め作用を発揮すると共に軽量でかさ張らずに使用することができて使用の利便性を高めることができる。
【００１０】
又、この場合、上記夏用滑止体４の接地面部分４ｂの外径ｄは冬用滑止体３の接地面部分３ｂの外径Ｄより小さく形成され、この接地面部分４ｂに複数個の四角状の滑止凸部４ｃを形成してなるから、乾路面、雨水路面における滑り止め作用を発揮しつつ軽量化を図ることができると共にかさ張らずに使用することができ、一層の使用の利便性を図ることができ、又、この場合、上記冬用滑止体３の接地面部分３ｂの外径Ｄは夏用滑止体４の接地面部分４ｂの外径ｄより大きく形成され、この接地面部分３ｂに複数個の半球状の滑止球凸部３ｃを形成してなるから、複数個の半球状の滑止球凸部３ｃが雪中に良好に突き刺さることも相俟って降雪路面や凍結路面における滑り止め作用を良好に発揮することができ、それだけ使用の安全性を高めることができる。
【００１１】
尚、本発明は上記実施の形態例に限られるものではなく、杖本体１、冬用滑止体３、夏用滑止体４の形状や材質は適宜変更して設計され、又、上記実施の形態例においては、杖本体１と夏用滑止体４又は冬用滑止体３との着脱構造として、相互の圧挿入に依拠しているが、他には、ネジ止め構造や抱締構造、螺着構造などの他の着脱構造を採用することもでき、又、上記実施の形態例においては、本発明の杖を新規に製作する場合での構造を示しているが、既存の杖に適用することもでき、この場合、既存の杖の滑止体を取り外して適用することもできるし、既存の杖の滑止体を取り外さずにそのままの状態で滑止体の外側を包むような夏用滑止体と冬用滑止体を製作して適用することもできる。
【００１２】
【発明の効果】
本発明は上述の如く、請求項１記載の発明にあっては、杖本体の下端部に設けられるゴムからなる滑止体として冬用滑止体及び降雪時期以外に適する夏用滑止体を形成し、この冬用滑止体と夏用滑止体とに交換使用可能に設けられているから、降雪時期の冬場においては、杖本体に降雪時期に適した冬用滑止体を装着することにより、降雪路面や凍結路面における滑り止め作用を良好に発揮することができ、それだけ使用の安全性を高めることができ、かつ、降雪時期以外の夏や春、秋においては、杖本体に降雪時期以外に適する夏用滑止体を装着することにより乾路面、雨水路面における滑り止め作用を発揮すると共に軽量でかさ張らずに使用することができて使用の利便性を高めることができ、かつ、上記夏用滑止体の接地面部分の外径は冬用滑止体の接地面部分の外径より小さく形成され、この接地面部分に複数個の四角状の滑止凸部が形成されているから、乾路面、雨水路面における滑り止め作用を発揮しつつ軽量化を図ることができると共にかさ張らずに使用することができ、一層の使用の利便性を図ることができ、更に、上記冬用滑止体の接地面部分の外径は夏用滑止体の接地面部分の外径より大きく形成され、この接地面部分に複数個の半球状の滑止球凸部が形成されているから、複数個の半球状の滑止球凸部が雪中に良好に突き刺さることも相俟って降雪路面や凍結路面における滑り止め作用を良好に発揮することができ、それだけ使用の安全性を高めることができる。
【００１３】
以上の如く、所期の目的を充分達成することができる。
【図面の簡単な説明】
【図１】  本発明の実施の形態例の全体斜視図である。
【図２】  本発明の実施の部分断面図である。
【図３】  本発明の実施の形態例の底面図である。
【図４】  本発明の実施の形態例の部分断面図である。
【図５】  本発明の実施の形態例の底面図である。
【符号の説明】
ｄ  外径
Ｄ  外径
１  杖本体
１ａ  握持部
１ｂ  接続部
２  滑止体
３  冬用滑止体
３ａ  挿入穴
３ｂ  接地面部分
３ｃ  滑止球凸部
４  夏用滑止体
４ａ  挿入穴
４ｂ  接地面部分
４ｃ  滑止凸部
【図１】
0003899393.tif 000002
【図２】
0003899393.tif 000003
【図３】
0003899393.tif 000004
【図４】
0003899393.tif 000005
【図５】
0003899393.tif 000006